(57)【要約】      （修正有）【課題】粘着テープが立位姿勢になるようにテープホルダーを安定して机や作業台、包装物上などに置くことができ、かつこれらの上に置いたときに自然に切断後の元側のテープ端部に、確実に、タブが形成されるようにする。【解決手段】粘着テープの円筒部を立位状態となるように支持する開閉台座付き粘着テープホルダー１であって、ホルダー本体部７の一端に形成された切断刃９と反対側の端部に枢着され、かつ該切断刃へ向って延在する台板１１と、台板の先端に蝶番連結され、かつ該台板の下面側へ所定角度で屈曲する舌片部１７と、舌片部の蝶番連結位置の近傍で台板の内面に設けられ、かつ該台板の内面に対して斜面を有する爪部１９とを有し、台板はホルダー本体部の下面に対して鋭角で開成するようになっており、台板を閉成したとき、切断後のテープ垂れ下がり先端部が台板〜爪部に押し上げられて粘着面どおしタブ状に重着されるようにした。【選択図】図１
2013249188.tif 000002
【特許請求の範囲】
【請求項１】
粘着テープの非粘着面側をホルダー本体部の切断刃に当てて該粘着テープを切断する粘着テープホルダーにおいて、前記切断刃に対して前記粘着テープの円筒部側へ寄った位置で前記ホルダー本体部に揺動可能に装着され、かつ前記粘着テープの円筒部から引き出された粘着テープの非粘着面に圧接するように付勢されたテープ圧接部材を有することを特徴とする粘着テープホルダー。
【請求項２】
粘着テープの円筒部を立位状態となるように支持する開閉台座付き粘着テープホルダーにおいて、
前記ホルダー本体部の一端に形成された前記切断刃と反対側の端部に枢着され、かつ該切断刃へ向って延在する台板と、
前記台板の先端に蝶番連結され、かつ該台板の下面側へ所定角度で屈曲する舌片部と、
前記舌片部の蝶番連結位置の近傍で前記台板の内面に設けられ、かつ該台板の内面に対して斜面を有する爪部と、
を有し、前記台板は前記ホルダー本体部の下面に対して鋭角で開成するようになっており、前記台板を前記ホルダー本体部に対して閉成したとき、切断後のテープ垂れ下がり先端部が前記台板〜前記爪部に押し上げられて粘着面どおしタブ状に重着されることを特徴とする開閉台座付き粘着テープホルダー。
【請求項３】
粘着テープの円筒部を立位状態となるように支持する開閉台座付き粘着テープホルダーにおいて、
前記ホルダー本体部の一端に形成された前記切断刃と反対側の端部に枢着され、かつ該切断刃へ向って延在する台板と、
前記台板の先端に蝶番連結され、かつ該台板の下面側へ所定角度で屈曲する舌片部と、
前記舌片部の蝶番連結位置の近傍で前記台板の内面に設けられ、かつ該台板の内面に対して斜面を有する爪部と、
前記切断刃に対して前記粘着テープの円筒部側へ寄った位置で前記ホルダー本体部に揺動可能に装着され、かつ前記粘着テープの円筒部から引き出された粘着テープの非粘着面に圧接するように付勢されたテープ圧接部材と、
を有し、前記台板は前記ホルダー本体部の下面に対して鋭角で開成するようになっており、前記台板を前記ホルダー本体部に対して閉成したとき、切断後のテープ垂れ下がり先端部が前記台板〜前記爪部に押し上げられて粘着面どおしタブ状に重着されることを特徴とする開閉台座付き粘着テープホルダー。
【請求項４】
前記切断刃に隣接した前記テープ案内ローラと前記粘着テープの前記円筒部との間に設けられたテープ規制ローラを有し、前記粘着テープは前記テープ案内ローラと前記テープ規制ローラとの間を通して引き出されることを特徴とする請求項２または請求項３に記載の開閉台座付き粘着テープホルダー。
【発明の詳細な説明】
【技術分野】
【０００１】
本発明はカッター刃を備えた粘着テープホルダーおよび開閉台座付き粘着テープホルダーに関し、特に、ホルダー本体部を置台上に立位姿勢で載置でき、かつテープ切断の際、テープ端部にタブを形成できるようにした粘着テープホルダーに関する。
【背景技術】
【０００２】
片面に粘着性を有する粘着テープは通常、芯材に円筒状に巻き付けられた形態を有し、このテープ円筒体からテープの一端を引き出して所望の長さに切断して使用する。テープ端部の引出しおよび切断を容易にするため、この種の粘着テープは切断刃付きのテープホルダーに保持されて使用される。テープホルダーとしては、種々の形態のものが市販されているが、大別すると、引き出したテープの粘着面側に切断刃があって切断後のテープ円筒部側のテープ端部が前記切断刃に付着、仮保持される形態のものと、非粘着面側に面して切断刃が設けられる形態のもの（特許文献１）とがある。後者のものでは、切断後のテープ円筒部につながるテープ端部は、通常は切断刃から離れて垂れ下がる形態となるが、このタイプのものは主として粘着力の強い例えば小包の口を閉じるような巾広、大径の包装用テープとして採用されている。
【先行技術文献】
【特許文献】
【０００３】
【特許文献１】特開２００８−２８０１２５号公開公報
【発明の概要】
【発明が解決しようとする課題】
【０００４】
巾広の強い粘着力をもつ包装用粘着テープは、一般にテープの非粘着面側に切断刃のあるテープホルダーに保持されるが、このタイプのものでは切断後の元側のテープ端部がホルダーから垂れ下がるため、この部分が他の予期しない箇所に付着してしまったり、あるいは切断後のテープ円筒部が引出し側と反対側へ逆回転してテープ端部をホルダーから簡単に引き出せなくなることがある。
また、場合によっては、切断後の前記テープ端部の非粘着面部分が鋸歯状の切断刃に付着してしまうことがあり、この状態ではテープ端部にタブを形成するのが難しく、さらに次回使用時のテープ端部を前記切断刃から引き離すときに該切断刃で手を傷付けてしまうおそれもあった。
また、通常この種の包装用粘着テープのテープホルダーは、使用中に机や作業台などに置く場合に、粘着テープが立ち状態、つまりテープ円筒部の中心軸線が水平となる立位姿勢になるようになされておらず、テープ円筒部の端面（平坦な側面）が机や置台上に対峙して載置される。この状態では例えば机や作業台に残留している塵や埃、小さな異物等がテープ円筒部の端面に付着し、これがテープ引き出し後もテープの縁部に残って包装物にテープを貼着したときに不快な印象を与える。テープ円筒部が立位状態になるようにテープホルダーを台上に置いたときにも、テープホルダーは特別な設置用の台座のようなものは備わっていないため不安定であって、僅かな振動や揺れで倒れてしまうという不都合があった。  
【０００５】
本発明は、粘着テープをホルダー本体部から引き出して該本体部の切断刃に当てて切断したとき、前記粘着テープが前記切断刃に付着することがないようにした粘着テープホルダーを提供することを目的とする。
【０００６】
本発明はまた、粘着テープが立位姿勢になるようにテープホルダーを安定して机や作業台、包装物上などに置くことができ、かつこれらの上に置いたときに自然に切断後の元側のテープ端部に、確実に、テープの重着されたタブが形成されるようにした開閉台座付き粘着テープホルダーを提供することを目的とする。
【課題を解決するための手段】
【０００７】
本発明によれば、粘着テープの非粘着面側をホルダー本体部の切断刃に当てて該粘着テープを切断する粘着テープホルダーにおいて、前記切断刃に対して前記粘着テープの円筒部側へ寄った位置で前記ホルダー本体部に揺動可能に装着され、かつ前記粘着テープの円筒部から引き出された粘着テープの非粘着面に圧接するように付勢されたテープ圧接部材を備えた粘着テープホルダーが得られる。
【０００８】
また本発明によれば、粘着テープの円筒部を立位状態となるように支持する開閉台座付き粘着テープホルダーであって、前記ホルダー本体部の一端に形成された前記切断刃と反対側の端部に枢着され、かつ該切断刃へ向って延在する台板と、前記台板の先端に蝶番連結され、かつ該台板の下面側へ所定角度で屈曲する舌片部と、前記舌片部の蝶番連結位置の近傍で前記台板の内面に設けられ、かつ該台板の内面に対して斜面を有する爪部と、を有し、前記台板は前記ホルダー本体部の下面に対して鋭角で開成するようになっており、前記台板を前記ホルダー本体部に対して閉成したとき、切断後のテープ垂れ下がり先端部が前記台板〜前記爪部に押し上げられて粘着面どおしタブ状に重着されるようにした開閉台座付き粘着テープホルダーが提供される。
【発明の効果】
【０００９】
本発明によれば、粘着テープをホルダー本体部の切断刃に当てて切断したとき、切断後のテープ端部が前記切断刃に付着せずに前記ホルダー本体部から垂れ下がる形態となるので、次回のテープ引出しおよびテープ端部のタブの形成が容易となる。
【００１０】
さらに本発明によれば、粘着テープを装着したテープホルダーを該テープが立位姿勢になるように置台等に載置することができ、かつ前記テープホルダーを机や作業台、荷物等の上に載置するだけでテープの切断端部にタブを形成でき、これによって新たなテープの引出しが容易になるとともに、包装物等に貼着したテープの剥がしが容易となる。
【図面の簡単な説明】
【００１１】
【図１】本発明の実施例３に係る開閉台座付き粘着テープホルダーの斜視図である。
【図２】本発明の実施例４に係る開閉台座付き粘着テープホルダーの部分的な拡大斜視図である。
【図３】本発明の実施例４に係る開閉台座付き粘着テープホルダーを置台上に載置した状態の側面図である。
【図４】本発明の実施例１に係る粘着テープホルダーの部分的な側面図である。
【図５】本発明の実施例２に係る粘着テープホルダーの部分的な側面図である。
【発明を実施するための形態】
【００１２】
前述の如く、この種のテープホルダーに保持された包装用粘着テープは、テープの円筒部から手動で所望長さに引き出した後、前記テープの非粘着面をホルダー端部の切断刃に押し付けて切断するが、このとき切断後のテープ円筒部につながるテープ切断部分が時々鋸歯状の切断刃に引っ掛かるなどして前記切断刃に付着してしまうことがある。このような状態では切断後のテープ端部に該テープの重着されたタブを形成することができず、前記タブを形成するためには、切断後に粘着テープが切断刃から離れて下方へ垂れ下がった形態となる必要がある。以下、このテープ離し機構について図４〜図５を参照して各種の実施例につき説明する。なお、以下の実施例は広巾で粘着力の強い包装用粘着テープに対応したテープホルダーについて示したものである。
【００１３】
（実施例１）
まず、図４（ａ），（ｂ）に示す実施例１を説明すれば、ホルダー本体部７の切断刃９に隣接してテープ案内ローラ８が該本体部７に軸支され、この案内ローラ８の軸支部両端に、後述するテープ圧接部材のアーム２１が枢着されている。前記テープ圧接部材は、アーム２１が案内ローラ８の半径よりも長く、かつ一対の前記アーム２１の先端に粘着テープ２０の巾長さにわたる長さの圧接ローラ２２が軸支された形態を有し、該アーム２２の基部（アーム２１の軸支部）には、テープ案内ローラ８の枢軸に一端が固着されたコイルばね（図示省略）が装着されている。テープ案内ローラ８の位置よりも粘着テープ２０の円筒部３側へ寄った位置で本体部７の側板２にテープ規制ローラ１６が軸支されている。前記テープ圧接部材のアーム先端および圧接ローラ２２はテープ案内ローラ８の中心位置よりも若干切断刃９側へ偏倚して配置されており、前記コイルばねのばね力により常時切断刃９から離れる方向に回動するように付勢されている。２３はホルダー本体部７に設けられたストッパピンであり、切断刃９によるテープ切断後（後述）は前記圧接部材のアーム２１と接当してテープ切断後のアーム２１の位置を規制する。
【００１４】
テープ円筒部３から引き出された粘着テープ２０は、テープ案内ローラ８とテープ規制ローラ１６の間を通って、テープ案内ローラ８および前記テープ圧接部材の圧接ローラ２２に接しつつ切断刃９へ向けられるが、このとき圧接ローラ２２は粘着テープ２０の伸長力によって前記コイルばねのばね力に抗して切断刃９側へ向って偏倚し、粘着テープ２０の非粘着面に圧接する形態となる。粘着テープ２０の切断後は、アーム２１はテープ案内ローラ８の中心を支点として前記コイルばねの作用でストッパピン２３側へ回動し、これによって切断後のテープ円筒部３につながる元側のテープ切断端部は切断刃９から引き離されるとともに、両ローラ８，２２からも離れて延び出すか、あるいは垂れ下がった形態となる。図４（ｂ）はこのときの状態を示している。なお、アーム２１および圧接ローラ２２が所定の重量を有する場合には、前記コイルばねのばね力によらず、自重でストッパピン２３側へ回動するようにしてもよく、その場合は前記コイルばねは省略することができる。
【００１５】
（実施例２）
図５（ａ），（ｂ）はテープ自動離し機構の他の実施例２を示した図である。この実施例２では、テープ案内ローラ８よりも粘着テープ２０の円筒部３側へ寄った位置でホルダー本体部７に一対のアーム２１が揺動可能に軸支され、該アーム２１の先端に、かつ、この一対のアームを連結するように、圧接ローラ２２が枢着されている。また、テープ案内ローラ８と圧接ローラ２２との間にはテープ規制ローラ１６がホルダー本体部７の部分的に示した側板２に軸支されている。これらのローラ８，１６，２２は互いにその軸線が平行であり、また実施例１と同様に圧接ローラ２２の長さは粘着テープ２０の巾長さにわたる長さを有している。粘着テープ２０はその円筒部３からこれらのローラ２２，１６，８の間を縫うように各ローラに接しつつ切断刃９へ向けて引き出される。なお、この規制ローラ１６については後述の他の実施例に関してさらに後述する。
【００１６】
この実施例２ではテープ圧接ローラ２２は常に前記規制ローラ１６の位置よりもテープ円筒部３側へ寄った位置で粘着テープ２０に接するようにテープ規制ローラ１６側へ向けて付勢されている。具体的には圧接ローラ２２を軸支しているアーム２１の基部にはホルダー本体部７との間に適当なコイルばねその他の付勢手段が設けられ、これによってアーム２１は図示の状態で斜め下向きの状態で規制ローラに向って付勢されている。テープ引き出し前の状態では、圧接ローラ２２は粘着テープ２０を介して規制ローラ１６に接当している。したがってこの実施例２ではテープ規制ローラ１６は、回動するアーム２１のストッパとしての作用を兼ねている。
【００１７】
この状態で粘着テープ２０の先端をつかんで切断刃９側へ引き出すと、テープ２０の伸長力でテープ離し部材のアーム２１は、圧接ローラ２２とテープ２０の非粘着面が接触したまま、該アーム２１を付勢しているばね力に抗して規制ローラ１６から離れる方向に、つまりテープ円筒部３側へ偏倚される。そしてテープ切断後は該テープの伸長力が消失するため、アーム２１は前記ばね力で再び規制ローラ１６側へ偏倚し、その先端の圧接ローラ２２によって切断後のテープ２０は切断刃９から引き戻され、図５（ｂ）のようにテープ先端が垂れ下がった状態となる。テープ切断時に切断刃９に引っ掛かったテープの引き離し力は、粘着テープ２０の伸長によるテープ円筒部３の回転惹起力よりも弱い。なお、上述の実施例２では、アーム２１の付勢手段としてはばね手段によらずにアーム２１および圧接ローラ２２の自重によってアーム２１が規制ローラ１６側へ偏倚するようにしてもよい。
【００１８】
（実施例３）
次に、本発明に係る開閉台座付き粘着テープホルダーの実施例について説明する。図１に示すように、この実施例３の粘着テープホルダー１のホルダー本体部７は片側に側板２を有し、この側板２に粘着テープ２０の円筒部３が遊嵌される筒部５が形成され、また側板２に対して或る間隔を有して小さな端板６が設けられている。側板２と端板６はテープの巾長さを若干超える横巾を有した上側肩板１０によって連結されている。ホルダー本体部７の下側位置で側板２と端板６との間にテープ案内ローラ８が回転可能に軸支され、さらにその先方に鋸歯状の切断刃９が設けられている。テープ円筒部３から引き出された粘着テープはその非粘着面がテープ案内ローラ８に接して案内されるとともに切断刃９に接当させて所望の長さに切断される。
以上の構成は、通常の粘着テープホルダーの１例であり、ホルダーの形状としてはこのほかにも種々のものがあり、本発明の要部とは直接関係がなく、粘着テープの非粘着面が切断刃に対面する形式の１つの構造例である。
【００１９】
図１および図２を参照すれば、切断刃９と反対側端部の側板２の下端部に切断刃側へ向って延びる開閉可能な台板１１が枢着されている。台板１１は側板２の下縁、つまりホルダー本体部７の底部を閉塞する状態（ここでは閉成と称する）から該底部に対して所定角度、例えば該底部から略３０°の角度で下側へ開いた状態（開成状態）へ該台板１１の枢軸１３を中心に回転可能となっている。この台板１１の下面を机や作業台、荷物等の上に接するようにしてテープホルダー１を置いたとき、台板１１はホルダー本体部７に対して閉じた状態（閉成状態）となり、これによってテープホルダー１は、側板２の筒部５つまり該筒部に遊嵌される粘着テープの円筒部３の中心軸線が水平状態になるように置台や荷物上に載置される。また台板１１をこのように閉じることによって切断後のテープの端部に、重着されたテープのタブ１５（図２，図３）が形成されるが、これについてはさらに後述する。なお、図１は台板１１を開成した状態、図２および図３は本体部７に対して台板１１を閉成したときの状態である。
【００２０】
片側の側板２の内面には、テープ案内ローラ８に隣接して、該ローラ８と側板２の筒部５との間に小径のテープ規制ローラ１６が回転可能に設けられている。粘着テープ２０はその円筒部３からテープ案内ローラ８とテープ規制ローラ１６との間を通って切断刃９側へ引き出されるが、テープ２０の粘着面はテープ規制ローラ１６に接触するので、テープが規制ローラ１６に強く付着してしまわないようにテープ規制ローラ１６の周面は多数の小溝等による粗面となっている。このテープ規制ローラ１６は切断後のテープ端部にタブ１５が形成される作用に関係する。図１に示す実施例３の開閉台座付きテープホルダー１は図４，図５で説明したテープ離し機構は設けられていない。
【００２１】
（実施例４）
実施例４では、図２に示すように、テープ円筒部３と規制ローラ１６との間に、図５（ａ），（ｂ）で説明したテープ離し機構の圧接ローラ２２が設けられ、その機能は図５で説明した通りであるが、前述の実施例３のようにテープ離し機構を設けない構造の開閉台座付き粘着テープホルダーとすることもできる。また、実施例４の変形例として、図４に示すようなテープ離し機構をホルダー本体部７に設けてもよい。
【００２２】
再び図１〜図３を参照すれば、台板１１の先端には該台板と略同じ板巾の舌片部１７が屈曲動作可能に枢支されている。また、図２，図３の実施例４では、台板１１の先端からやや後方（台板枢軸側）へ寄った位置で該台板１１の下面には厚みのある枕部材２５が固着されている。外力が作用しない状態では舌片部１７は台板１１に沿って伸長しているが、台板１１を、例えば置台２６等に載せるなどして、ホルダー本体部７に対して閉成したとき、舌片部１７の内面がテープ案内ローラ８に接当して或る角度で台板１１に対して下側へ屈曲し（図２参照）、この位置で屈曲動作が静止する。つまり、舌片部１７はこの静止状態よりさらに下側には屈曲せず、テープホルダー１を置台や荷物上に立位姿勢で載せたとき、ホルダー本体部７の底部は、台板１１の枢着部１３と舌片部１７の下面先端と台板１１の下面の枕部材２５の部分で置台２６や荷物の上面に接触し、これによって舌片部１７の枢支部１７ａがホルダー本体部７の内部へ向って山形に屈曲するとともに、台板１１はその先端側がホルダー本体部７の内側へ偏倚する形態で置台２６等の面に対して僅かに傾斜した状態となる（図３）。
【００２３】
台板１１の内面には舌片部１７にやや近い位置でテープ巾と略同じ横巾の爪部１９が設けられている。この実施例では、爪部１９はその上面が概略６０°の角度で後側（台板枢着側）へ傾斜した斜面１９ａが形成されている。これらの舌片部１７および爪部１９もテープ切断後のテープ端部にタブ１５が形成される作用に関係する。
【００２４】
次に、切断後のテープ円筒部３につながるテープ端部にタブ１５が形成される動作について説明する。まず、テープホルダー１を手で持ってテープ先端を引き出し、切断刃９で所望長さに粘着テープ２０を切断すると、切断後のテープ円筒部３につながるテープ端部は、切断刃９から離れ、かつこの種の粘着テープのもつ性質から粘着面側が全体として僅かに凹形となるようにわん曲して垂れ下がる（図１）。この状態でホルダー１の台板部分を置台上に載せるか、あるいは台板１１を閉成するようにホルダー１へ向けて押し込むと、垂れ下がったテープ端部は台板１１の内面から爪部１９の斜面１９ａに至る部分で該テープのわん曲側へ偏倚させられ、テープ端部の粘着面どおしが重ね状態になるように付着し、このようにしてテープの重着されたタブ１５がテープ端部に形成される。次回のテープ引出し時にはこのタブ部分を手でつまんで引き出し、切断刃９で所望長さに切断する。小包など包装物に貼着した場合、後日このテープを剥がすときにはタブ１５の部分から剥がせばよく、また、従来のように切断後のホルダーから垂れ下がったテープ端部が他の部分に不必要に付着してしまうといった不都合が生じない。
【符号の説明】
【００２５】
１  粘着テープホルダー
２  側板
７  ホルダー本体部
８  テープ案内ローラ
９  切断刃
１１  台板
１５  タブ
１６  テープ規制ローラ
１７  舌片部
１９  爪部
１９ａ  斜面
２１  アーム
２２  圧接ローラ
【図１】
2013249188.tif 000003
【図２】
2013249188.tif 000004
【図３】
2013249188.tif 000005
【図４】
2013249188.tif 000006
【図５】
2013249188.tif 000007